(57)【要約】【課題】照明装置の組み付けに掛かる製造コストの高騰化を抑制することができる照明装置を提供する。【解決手段】照明装置１は、第二回路基板２７０に対して立設した状態で支持される第二無線モジュール４７と、第二回路基板２７０を保持し、かつ、第二無線モジュール４７を着脱自在に保持する第二取付板２６４とを備える。また、第二取付板２６４は、第二無線モジュール４７が挿入される収容空間２６５ａを有する収容支持部２６５を有する。そして、収容支持部２６５は、第二無線モジュール４７と係わり合うことで、第二無線モジュール４７を所定の姿勢で支持する係合凹部２６９を有する。【選択図】図７
2019102286.tif 000002
【特許請求の範囲】
【請求項１】
第一基板に対して立設した状態で支持される第二基板と、
前記第一基板を保持し、かつ、前記第二基板を着脱自在に保持する取付板とを備え、
前記取付板は、前記第二基板が挿入される収容空間を有する収容支持部を有し、
前記収容支持部は、前記第二基板と係わり合うことで、前記第二基板を所定の姿勢で支持する係合凹部を有する
照明装置。
【請求項２】
前記第二基板は、本体部と前記本体部に対して所定の方向に延在する延在部とを有し、
前記延在部は、前記係合凹部に係合する
請求項１に記載の照明装置。
【請求項３】
前記取付板は、前記延在部が前記係合凹部に係合することで、前記第二基板を前記第一基板に対して第一の姿勢で支持する
請求項２に記載の照明装置。
【請求項４】
前記第二基板は、前記第一基板と電気的に接続するリード線の第一端子が接続される第二端子を有し、
前記取付板は、前記第二端子に接続された前記第一端子が前記第二端子から離間しないように、前記第一端子の移動を規制する係止突部を有する
請求項３に記載の照明装置。
【請求項５】
前記収容支持部は、前記第二基板を前記第一基板に対して第二の姿勢で支持する場合に、前記第二基板を前記収容空間に収容する
請求項１又は２に記載の照明装置。
【請求項６】
前記収容支持部は、前記係合凹部を一対有し、
一対の前記係合凹部の間には、前記第二基板を挿通するスリットが形成されており、
一方の前記係合凹部から他方の前記係合凹部までの長さは、スリットの長さよりも大きい
請求項１〜５のいずれか１項に記載の照明装置。
【請求項７】
さらに、
発光領域を有する照明部と、
スピーカを有する音響部とを備え、
前記第一基板は、無線用回路基板であり、
前記第二基板は、前記照明部用の無線信号、及び前記音響部用の無線信号を受信する無線用アンテナ基板である
請求項１〜６のいずれか１項に記載の照明装置。
【請求項８】
さらに、
前記照明部の外方に向けて延設する導光板と、
前記導光板に光を入射する光源とを備える
請求項７に記載の照明装置。
【請求項９】
前記導光板は、一対設けられており、
一対の前記導光板は、前記照明部を挟んで対向するように配置されている
請求項８に記載の照明装置。
【発明の詳細な説明】
【技術分野】
【０００１】
本発明は、照明部と音響部とを備えた照明装置に関する。
【背景技術】
【０００２】
従来、例えば、基板に形成されたアンテナパターンによりヘリカル状アンテナを構成する無線通信用モジュールを備えた照明装置が開示されている（例えば特許文献１参照）。このアンテナパターンは、基板に対して垂直な方向に延びている。このような照明装置では、照明性能を確保し、かつ、信頼性の高い無線通信を行うことができる。
【先行技術文献】
【特許文献】
【０００３】
【特許文献１】特開２０１５−１１５２８７号公報
【発明の概要】
【発明が解決しようとする課題】
【０００４】
ところで、このような照明装置では、アンテナパターンが基板に対して垂直な方向に延びている。このため、例えば、それぞれの部品を組み付けて照明装置を製造する場合において、アンテナパターンと基板とを一体化して組み付けた状態の部材を運搬する際、アンテナパターンが基板に対して垂直に突出しているため、何らかの対象物と接触してアンテナパターンが破損する恐れがある。このため、アンテナパターンが輸送時に破損しない様に、アンテナパターンを保護部材などで保護をしなくてはいけなくなる。このため、部品の組み付け時に不要なコストが嵩む結果となる。
【０００５】
このため、本開示は、照明装置の組み付けに掛かる製造コストの高騰化を抑制することができる照明装置を提供することを目的とする。
【課題を解決するための手段】
【０００６】
上記目的を達成するために、本発明に係る照明装置の一態様は、第一基板に対して立設した状態で支持される第二基板と、前記第一基板を保持し、かつ、前記第二基板を着脱自在に保持する取付板とを備え、前記取付板は、前記第二基板が挿入される収容空間を有する収容支持部を有し、前記収容支持部は、前記第二基板と係わり合うことで、前記第二基板を所定の姿勢で支持する係合凹部を有する。
【発明の効果】
【０００７】
本開示によれば、照明装置の組み付けに掛かる製造コストの高騰化を抑制することができる。
【図面の簡単な説明】
【０００８】
【図１】図１は、実施の形態に係る照明装置を示す斜視図である。
【図２】図２は、実施の形態に係る照明装置を示す分解斜視図である。
【図３】図３は、実施の形態に係る照明装置を正面から見た場合の、照明装置の概略構成を示す正面図である。
【図４】図４は、図１のＩＶ−ＩＶ線を含む切断面を見た場合の、照明装置の部分断面図である。
【図５】図５は、実施の形態に係る照明装置の照明部を示す分解斜視図である。
【図６】図６は、実施の形態に係る照明装置の収容支持部を示す平面図である。
【図７】図７は、実施の形態に係る照明装置の第二取付板、第二回路基板、及び第三回路基板を示す斜視図である。
【図８】図８は、図７のＶＩＩＩ−ＶＩＩＩ線を含む切断面を見た場合の、第二取付板、第二回路基板、及び第三回路基板を示す部分断面である。
【図９】図９は、図７のＩＸ−ＩＸ線を含む切断面を見た場合の、第二取付板、第二回路基板、及び第二無線モジュールを示す部分断面である。
【発明を実施するための形態】
【０００９】
以下、実施の形態について、図面を参照しながら説明する。なお、以下に説明する実施の形態は、本発明の一具体例を示すものである。したがって、以下の実施の形態示される、数値、形状、材料、構成要素、構成要素の配置位置及び接続形態などは、一例であって本発明を限定する主旨ではない。よって、以下の実施の形態における構成要素のうち、本発明の最上位概念を示す独立請求項に記載されていない構成要素については、任意の構成要素として説明される。
【００１０】
また、「略＊＊」との記載は、「略矩形状」を例に挙げて説明すると、完全な矩形状はもとより、実質的に矩形状と認められるものを含む意図である。
【００１１】
なお、各図は、模式図であり、必ずしも厳密に図示されたものではない。また、各図において、実質的に同一の構成に対しては同一の符号を付しており、重複する説明は省略又は簡略化する。
【００１２】
以下、本開示の実施の形態に係る照明装置について説明する。
【００１３】
（実施の形態）
［照明装置の全体構成］
図１は、実施の形態に係る照明装置１を示す斜視図である。図２は、実施の形態に係る照明装置１を示す分解斜視図である。
【００１４】
ここでは、照明装置１の装置本体２の短手方向をＸ軸方向と規定し、装置本体２の長手方向をＹ軸方向と規定し、Ｘ軸方向とＹ軸方向とに直交する方向をＺ軸方向と規定する。また、装置本体２に対する第一導光板３側をＸ軸プラス方向と規定し、照明部２０の第一開口部２０ａに対する第一無線モジュール４６側をＹ軸プラス方向と規定し、照明装置１が取り付けられる造営材側をＺ軸プラス方向と規定する。本実施の形態では、説明の便宜上、Ｚ軸方向を上下方向として説明するが、照明装置１の使用形態によってはＺ軸方向が上下方向とならない場合もある。
【００１５】
図１及び図２に示すように、照明装置１は、エッジライト方式の導光板を備えており、天井および壁などの造営材に固定されている。具体的には、照明装置１は、造営材に配設されている引っ掛けシーリング１１等の外部の電源と電気的に接続された状態で固定されている。
【００１６】
照明装置１は、装置本体２と、第一導光板３と、第二導光板４と、第一遮光部材５と、第二遮光部材６と、透光カバー７と、一対の支持部材８とを備えている。
【００１７】
装置本体２は、Ｙ軸方向に長尺な箱状体である。装置本体２は、外装カバー１２と、一対の音響部４０と、照明部２０と、一対のレンズカバー２３と、照明制御部１３と、照明電源部１５と、音響制御部１６と、音響電源部１７とを有する。
【００１８】
図２に示すように、外装カバー１２は、Ｙ軸方向に長尺な矩形状の箱体であり、Ｚ軸プラス方向及びＺ軸マイナス方向で開放されている。具体的には、外装カバー１２は、Ｚ軸マイナス方向側では、全体が開放されており、Ｚ軸プラス方向側では、中央部分が略矩形状に開放されている。
【００１９】
また、外装カバー１２は、音響部４０と、照明部２０、第一無線モジュール４６、第二無線モジュール４７、第一遮光部材５、第二遮光部材６、照明制御部１３、照明電源部１５、音響制御部１６及び音響電源部１７等を収容している。外装カバー１２は、照明装置１の外側のカバーである。
【００２０】
［音響部］
図３は、実施の形態に係る照明装置１を正面から見た場合の、照明装置１の概略構成を示す正面図である。図３では、実施の形態に係るカバー体４２及び透光カバー７を取り除いた状態を示している。
【００２１】
図２及び図３に示すように、音響部４０は、一対のスピーカ４１と、一対のスピーカ４１を個別に覆う一対のカバー体４２とを備えている。一対のスピーカ４１及び一対のカバー体４２は、外装カバー１２におけるＹ軸方向の両端部に設けられている。一対のスピーカ４１及び一対のカバー体４２は、Ｙ軸方向において、照明部２０、第一遮光部材５、第二遮光部材６、照明制御部１３、照明電源部１５、音響制御部１６及び音響電源部１７を挟んで配置されている。一対のカバー体４２は、それぞれ平板状であり、その底面がＸ軸方向から見て外方を向くように、傾く姿勢で外装カバー１２に取り付けられている。一対のスピーカ４１は、それぞれ対応するカバー体４２に対応して傾く姿勢で外装カバー１２に取り付けられている。具体的には、スピーカ４１の指向中心が、カバー体４２の底面の法線方向に平行となっている。ここで、指向中心とは、スピーカ４１の指向性の中心方向、つまりスピーカ４１の音の広がりの中心方向とする。
【００２２】
一対のスピーカ４１には、不図示のケーブルを介して音響制御部１６と、音響電源部１７とが電気的に接続されている。一対のスピーカ４１は、音響電源部１７から電力が供給されるとともに、音響制御部１６の制御によって音を出力する。
【００２３】
スピーカ４１は、平面視略矩形状であり、その四辺のうち三辺が外装カバー１２の内壁面に近接配置されている。このスピーカ４１における三辺と、外装カバー１２の内壁面との間には、緩衝材が設けられている。緩衝材としては、スピーカ４１の振動を吸収できるものであれば如何なるものを採用することができる。緩衝材は、例えばゴムやウレタンなどの弾性体から形成されている。スピーカ４１が音を出力することによって発生した振動は、緩衝材によって吸収される。このため、スピーカ４１を起因とした振動が、外装カバー１２と、外装カバー１２に収容された照明部２０と、照明部２０に支持された第一導光板３、第二導光板４などに伝わることが抑制されている。
【００２４】
［照明部］
照明部２０は、Ｙ軸方向に長尺な矩形状である。つまり、照明部２０の長手方向がＹ軸方向となる。照明部２０は、中央部分に円形状の第一開口部２０ａを有している。第一開口部２０ａは取付用の開口部であり、照明部２０が、この第一開口部２０ａを介して引っ掛けシーリング１１に取り付けられる。これにより、照明部２０と引っ掛けシーリング１１とが電気的に接続される。また、照明部２０は、一対の発光モジュール２１と、収容体２５と、第一回路基板２６０と、音響部４０用の第二回路基板２７０と、第三回路基板２８０とを有する。
【００２５】
［発光モジュール］
図２に示すように、一対の発光モジュール２１は、例えばネジ等の締結部材１９により収容体２５に固定されている。具体的には、一対の発光モジュール２１は、第一開口部２０ａを挟むように、第一開口部２０ａに対してＹ軸プラス方向側及びＹ軸マイナス方向側にそれぞれ配置されている。なお、本実施の形態では、２つの発光モジュール２１を用いているが、１つの発光モジュール２１であってもよい。
【００２６】
図４は、図１のＩＶ−ＩＶ線を含む切断面を見た場合の、照明装置１の部分断面図である。
【００２７】
図２及び図４に示すように、発光モジュール２１は、基板１２０と、複数の第一光源１２１と、複数の第二光源１２２と、複数の配線部材１２０ａとを有する。
【００２８】
基板１２０は、Ｙ軸方向に長尺な矩形板状である。基板１２０には、複数の第一光源１２１及び複数の第二光源１２２が実装されている。基板１２０は、Ｘ−Ｙ平面と略平行となるように、照明部２０の収容体２５に設置されている。基板１２０には、複数の第一光源１２１及び複数の第二光源１２２に給電する配線部材１２０ａが固定されている。基板１２０は、配線部材１２０ａに接続された不図示のケーブルを介して照明制御部１３及び照明電源部１５と電気的に接続されている。本実施の形態では、配線部材１２０ａは、第一光源１２１と第二光源１２２との間に配置されている。
【００２９】
基板１２０は、第一光源１２１及び第二光源１２２が発した熱を放熱するように、図示しない放熱部に熱的に接続されていてもよい。放熱部は、外装カバー１２にも熱的に接続されていてもよく、外装カバー１２をヒートシンクとして機能させてもよい。
【００３０】
複数の第一光源１２１は、Ｙ軸方向に長尺なマトリクス状となるように、基板１２０に配列されている。複数の第二光源１２２の一部は、複数の第一光源１２１に対してＸ軸プラス方向側でＹ軸方向に沿って配列されている。一方、その他の複数の第二光源１２２は、複数の第一光源１２１に対してＸ軸マイナス方向側でＹ軸方向に沿って配列されている。言い換えれば、複数の第一光源１２１に対し、Ｘ軸プラス方向側で配列されている複数の第二光源１２２と、Ｘ軸マイナス方向側で配列されている複数の第二光源１２２とは、複数の第一光源１２１を挟むように基板１２０に配列されている。
【００３１】
第一光源１２１及び第二光源１２２は、光の出射方向がＺ軸マイナス方向を向いているため、Ｚ軸マイナス方向に光を出射する。光の出射方向、つまり第一光源１２１及び第二光源１２２の各々の光軸Ｊは、Ｚ軸方向と略平行である。
【００３２】
Ｘ軸プラス方向側で配列されている複数の第二光源１２２の光の出射方向側には、第一導光板３が配置されている。また、Ｘ軸マイナス方向側で配列されている複数の第二光源１２２の光の出射方向側には、第二導光板４が配置されている。Ｘ軸プラス方向側の第二光源１２２は、第一導光板３の入射面に光を照射する。また、Ｘ軸マイナス方向側の第二光源１２２は、第二導光板４の入射面に光を照射する。第二光源１２２は、光の出射方向がＺ軸マイナス方向に向くように基板１２０に配列されている。具体的には、Ｘ軸プラス方向側の第二光源１２２は、光軸Ｊが第一導光板３の入射面に略直交して、入射面と対向するように配置されている。また、Ｘ軸マイナス方向側の第二光源１２２は、光軸Ｊが第二導光板４の入射面に略直交して、入射面と対向するように配置されている。つまり、第二光源１２２は、第一導光板３及び第二導光板４の各々の入射面と略垂直な関係にある。
【００３３】
また、第二光源１２２と第一導光板３及び第二導光板４との間には、第二光源１２２と第一導光板３及び第二導光板４とが接触しないように隙間が空けられている。
【００３４】
第一光源１２１及び第二光源１２２は、いわゆるＳＭＤ（Ｓｕｒｆａｃｅ  Ｍｏｕｎｔ  Ｄｅｖｉｃｅ）型のＬＥＤ素子である。ＳＭＤ型のＬＥＤ素子とは、具体的には、樹脂成型されたキャビティの中にＬＥＤチップ（発光素子）が実装され、キャビティ内に蛍光体含有樹脂が封入されたパッケージ型のＬＥＤ素子である。例えば、青色ＬＥＤチップと黄色蛍光体含有樹脂との組み合わせにより白色光を放出する表面実装型ＬＥＤ素子が、第一光源１２１及び第二光源１２２として採用される。
【００３５】
第一光源１２１及び第二光源１２２は、照明制御部１３により制御されて点灯及び消灯を行う。また、第一光源１２１及び第二光源１２２は、照明制御部１３により制御されて調光及び調色が行われる。
【００３６】
なお、第一光源１２１及び第二光源１２２は、このような構成に限定されず、基板１２０上にＬＥＤチップが直接的に実装されたＣＯＢ（Ｃｈｉｐ  Ｏｎ  Ｂｏａｒｄ）型のモジュールが用いられてもよい。また、第一光源１２１及び第二光源１２２が有する発光素子は、ＬＥＤに限定されず、例えば、半導体レーザ等の半導体発光素子、又は、有機ＥＬ（Ｅｌｅｃｔｒｏ  Ｌｕｍｉｎｅｓｃｅｎｃｅ）や無機ＥＬ等のＥＬ素子等その他の固体発光素子であってもよい。
【００３７】
なお、もう一方側の発光モジュール２１も同様の構成であるためその説明を省略する。
【００３８】
［レンズカバー］
図２、及び図３に示すように、一対のレンズカバー２３は、第一開口部２０ａを挟むように、第一開口部２０ａに対してＹ軸プラス方向側及びＹ軸マイナス方向側にそれぞれ配置されている。レンズカバー２３は、基板１２０と第一遮光部材５及び第二遮光部材６とによって固定されている。レンズカバー２３は、Ｙ軸方向に長尺な矩形板状をなし、透光性を有する例えば、アクリル、ポリカーボネート等の透明な樹脂材料で形成されている。
【００３９】
レンズカバー２３は、複数の第一光源１２１が出射した光を配光制御するレンズであり、複数のレンズを有する。レンズカバー２３は、複数の第一光源１２１を覆うように、発光モジュール２１に配置されている。具体的には、レンズカバー２３及び複数の第一光源１２１を平面視した場合に、レンズカバー２３に形成されている個々のレンズは、各々の第一光源１２１に一対一で対応している。レンズカバー２３の各々のレンズは、これらに対応する各々の第一光源１２１から出射した光が透過する際に、透過する光の配光角を制御する。
【００４０】
また、一対のレンズカバー２３のそれぞれの外端部には、切欠き２３１が設けられている。具体的には、Ｙ軸プラス方向側のレンズカバー２３には、Ｙ軸プラス方向側の端部に切欠き２３１が設けられている。Ｙ軸マイナス方向側のレンズカバー２３には、Ｙ軸マイナス方向側の端部に切欠き２３１が設けられている。切欠き２３１は、例えば、第一開口部２０ａ側の幅が小さく、反対側の幅が大きい平面視台形状に形成されている。
【００４１】
これら一対のレンズカバー２３は、複数の第一光源１２１が出射した光を配光制御して、発光する。これにより一対のレンズカバー２３は照明部２０の発光領域となる。一対のレンズカバー２３は、それぞれＹ軸方向に長尺であるので、発光領域もＹ軸方向に沿って長尺に設けられている。上述したように、一対のスピーカ４１及び一対のカバー体４２は、Ｙ軸方向において、照明部２０を挟んで配置されているので、一対のスピーカ４１と発光領域とは、当該発光領域を平面視した場合に重なっていない。
【００４２】
［収容体］
図２に示すように、収容体２５は、第一収容部２５１と、第二収容部２５２とを備えている。第一収容部２５１は、一対の発光モジュール２１と、一対のレンズカバー２３と、第一無線モジュール４６と、第二無線モジュール４７とを収容する筐体である。具体的には、第一収容部２５１は、Ｙ軸方向に長尺でＺ軸方向に扁平な筐体であり、Ｚ軸方向のマイナス方向側が全体として開放されている。第一収容部２５１は、第二収容部２５２に対してＺ軸マイナス方向側に配置されている。
【００４３】
第一収容部２５１には、一対の発光モジュール２１が複数の締結部材１９によって固定されている。また、第一収容部２５１には、一対のレンズカバー２３が第一遮光部材５、第二遮光部材６及び一対の発光モジュール２１を介して固定されている。また、第一収容部２５１の中央部には、第一開口部２０ａの一部をなす開口２５３ａが形成されている。
【００４４】
第二収容部２５２は、照明制御部１３と、照明電源部１５と、音響制御部１６と、音響電源部１７とを収容する筐体である。具体的には、第二収容部２５２は、Ｙ軸方向に長尺な略直方体状の筐体であり、Ｚ軸マイナス方向側が全体として開放されている。この第二収容部２５２の開放された部分は、第一収容部２５１によって覆われている。第二収容部２５２には、照明制御部１３、照明電源部１５、音響制御部１６、音響電源部１７などが図示しない締結部材によって固定されている。
【００４５】
図５は、実施の形態に係る照明装置１の照明部２０を示す分解斜視図である。図５では、第一収容部２５１は省略している。
【００４６】
図２及び図５に示すように、第二収容部２５２には、照明部２０用の第一回路基板２６０、音響部４０用の第二回路基板２７０、及び第三回路基板２８０が取付板２６２を介して取り付けられている。第二収容部２５２の中央部には、第一開口部２０ａの一部をなす開口２５７ａが形成されている。また、第二収容部２５２には、第一収容部２５１が図示しない締結部材によって固定される。
【００４７】
取付板２６２は、第一取付板２６３と第二取付板２６４とで構成される。
【００４８】
第一取付板２６３には、照明部２０用の第一回路基板２６０が取り付けられている。第一取付板２６３は、Ｙ軸方向に長尺な平面視略矩形状に形成されている。また、第一取付板２６３には、第一開口部２０ａの一部をなす円筒部２７２が設けられている。円筒部２７２は、第一取付板２６３におけるＹ軸プラス方向側に偏った位置に配置されている。このため、第一取付板２６３は、円筒部２７２よりもＹ軸プラス方向側の面積が大きく、円筒部２７２よりもＹ軸マイナス方向側の面積が小さくなっている。円筒部２７２は、第一取付板２６３に固定された際には、第二収容部２５２の開口２５７ａと連通する。
【００４９】
第二取付板２６４には、音響部４０用の第二回路基板２７０及び第三回路基板２８０が取り付けられている。第二取付板２６４は、平面視略正方形状に形成されており、その全周にわたってリブ２６４ａが設けられている。また、第二取付板２６４の底部には、複数の開口が形成されている。第二取付板２６４は、取付板の一例である。なお、第一取付板２６３と第二取付板２６４とが一体化されていてもよい。第一取付板２６３が取付板の一例となってもよい。
【００５０】
また、第二取付板２６４は、第二無線モジュール４７を所定の姿勢で支持する収容支持部２６５を有する。収容支持部２６５は、第二回路基板２７０を保持し、かつ、第二無線モジュール４７を着脱自在に保持する支持台である。収容支持部２６５は、リブ２６４ａと一体的に形成されており、第二取付板２６４のＹ軸マイナス方向側の端縁に配置されている。収容支持部２６５には、第二無線モジュール４７が挿入される収容空間２６５ａを有する。収容支持部２６５が第二無線モジュール４７を内部に収容するとは、少なくとも第二無線モジュール４７の一部を内部に収容することを意味する。
【００５１】
収容支持部２６５は、収容部本体２６６と、一対の支持部２６７と、係止突部２６８とを有する。
【００５２】
収容部本体２６６は、リブ２６４ａよりもＺ軸マイナス方向に立ち上がり、第二無線モジュール４７を支持する角柱状の台座である。収容部本体２６６は、Ｘ軸方向に長尺である。収容部本体２６６の内部には、空洞が形成されており、第二無線モジュール４７を配置することが可能である。この空洞は、収容空間２６５ａの一部を構成している。
【００５３】
図６は、実施の形態に係る照明装置１の収容支持部２６５を示す平面図である。
【００５４】
図５及び図６に示すように、収容部本体２６６のＺ軸マイナス方向側の端面には、第二無線モジュール４７を挿通するスリット２６６ｂが、一対の係合凹部２６９の間に形成されている。つまり、スリット２６６ｂは、一対の支持部２６７の間の空間から収容部本体２６６の空洞へと繋がる挿通孔である。スリット２６６ｂは、Ｘ軸方向に長尺である。スリット２６６ｂも収容空間２６５ａの一部を構成している。スリット２６６ｂは、後述する第二無線モジュール４７を倒立した状態で収容支持部２６５に収容する場合に、第二無線モジュール４７の第二端子１４８ｂと接触しない、切り欠き部２６６ｃが形成されている。
【００５５】
一対の支持部２６７は、収容部本体２６６のＺ軸マイナス方向側の端面からＺ軸マイナス方向に向かって突出している。一対の支持部２６７は、スリット２６６ｂの長手方向に並び、スリット２６６ｂを両側から挟むように配置されている。一対の支持部２６７の間には、第二無線モジュール４７の一部を収容することができる空間が形成されている。この空間が収容空間２６５ａの一部を構成している。
【００５６】
一対の支持部２６７のそれぞれは、第二無線モジュール４７と係わり合うことで、第二無線モジュール４７を所定の姿勢で支持する係合凹部２６９を有する。係合凹部２６９は、Ｘ−Ｚ平面に対して略平行な溝であり、係合凹部２６９には、後述する第二無線モジュール４７を、Ｚ軸マイナス方向からＺ軸プラス方向に向けて挿入することができる。つまり、係合凹部２６９のＸ軸方向の幅は、寸法公差の関係から第二無線モジュール４７を構成する基板の厚みよりも少し大きい程度である。一方の係合凹部２６９から他方の係合凹部２６９までの長さＬ１は、スリット２６６ｂのＸ軸方向の長さＬ２よりも長い。一対の係合凹部２６９とスリット２６６ｂは、同一直線上であるＸ軸方向に並んでいる。つまり、係合凹部２６９には、Ｚ軸プラス方向に、第二無線モジュール４７の後述する一対の延在部１４７ｂと当接する底面が形成されている。これにより、一対の支持部２６７は、一対の係合凹部２６９にそれぞれ挿入された一対の延在部１４７ｂが底面に当て止まることで、第二無線モジュール４７が所定の姿勢で保持できる。つまり、一対の係合凹部２６９は、第二無線モジュール４７が引っ掛かる、つまり第二無線モジュール４７と係り合うことで、第二無線モジュール４７を所定の姿勢で支持する。こうして第二無線モジュール４７は、収容支持部２６５に固定される。
【００５７】
係止突部２６８は、一対の支持部２６７との間に形成された突部である。係止突部２６８は、第二端子１４８ｂに接続された第一端子１４８ａが第二端子１４８ｂから離間しないように、第一端子１４８ａの移動を規制する。係止突部２６８は、収容支持部２６５を平面視した場合に、スリット２６６ｂのＹ軸プラス方向側に形成されている。
【００５８】
［各々の回路基板］
第一回路基板２６０は、照明部２０用の回路基板であり、照明制御部１３及び照明電源部１５を構成する。第一回路基板２６０は、主基板２６０ａと、主基板２６０ａよりも大きさの小さい副基板２６０ｂとを備えている。主基板２６０ａと、副基板２６０ｂとは、それぞれ配置箇所に対応した大きさに形成されている。例えば、主基板２６０ａは、第一取付板２６３における円筒部２７２よりもＹ軸プラス方向側に配置されている。一方、副基板２６０ｂは、第一取付板２６３における円筒部２７２よりもＹ軸マイナス方向側に配置されている。
【００５９】
主基板２６０ａ及び副基板２６０ｂのそれぞれには、照明制御部１３及び照明電源部１５をなす複数の回路部品が実装されている。複数の回路部品には、例えば、電解コンデンサ、コイル、トランス、ノイズフィルタ、セラミックコンデンサ、抵抗素子、半導体素子などが挙げられる。
【００６０】
第二回路基板２７０は、音響部４０用の無線回路基板であり、音響制御部１６を構成する。第二回路基板２７０には、音響制御部１６をなす複数の回路部品が実装されている。第二回路基板２７０は、第二取付板２６４のＸ軸マイナス方向側に配置されている。第二回路基板２７０は、Ｘ−Ｙ平面に対して略平行である。第二回路基板２７０は、第一基板の一例である。
【００６１】
第三回路基板２８０は、音響部４０用の回路基板であり、音響電源部１７を構成する。第三回路基板２８０は、第二回路基板２７０と電気的に接続している。第三回路基板２８０には、音響電源部１７をなす複数の回路部品が実装されている。第三回路基板２８０は、第二回路基板２７０のＸ軸プラス方向側に、第二回路基板２７０と隣接して配置されている。第三回路基板２８０は、Ｘ−Ｙ平面に対して略平行である。第三回路基板２８０は、第一基板の一例であってもよい。
【００６２】
複数の回路部品には、例えば、電解コンデンサ、コイル、トランス、ノイズフィルタ、セラミックコンデンサ、抵抗素子、半導体素子などが挙げられる。
【００６３】
［第一無線モジュール、第二無線モジュール］
図３及び図５に示すように、第一無線モジュール４６は、Ｙ軸プラス方向側のレンズカバー２３の切欠き２３１内に配置されている。第一無線モジュール４６は、照明部２０用の無線信号を受信する無線用アンテナ基板である。第一無線モジュール４６は、操作端末と通信を行うアンテナ、無線信号を処理する半導体集積回路などを有する。第一無線モジュール４６は、図示しない配線を介して、照明部２０用の第一回路基板２６０に電気的に接続されている。これにより、第一無線モジュール４６が受信した無線信号は、第一回路基板２６０にある照明制御部１３に伝送される。
【００６４】
第二無線モジュール４７は、Ｙ軸マイナス方向側のレンズカバー２３の切欠き２３１内に配置されている。第二無線モジュール４７は、音響部４０用の無線信号を受信する無線用アンテナ基板である。第二無線モジュール４７は、操作端末と通信を行うアンテナ、無線信号を処理する半導体集積回路などを有する。第二無線モジュール４７は、図示しない配線を介して、音響部４０用の第二回路基板２７０に電気的に接続されている。これにより、第二無線モジュール４７が受信した無線信号は、第二回路基板２７０にある音響制御部１６に伝送される。第二無線モジュール４７は、第二基板の一例である。なお、第一無線モジュール４６は、第二基板の一例であってもよい。つまり、第二無線モジュール４７は、照明部２０用の無線信号、及び音響部４０用の無線信号を受信する無線用アンテナ基板である。
【００６５】
第二無線モジュール４７は、第二端子１４８ｂを有する。第二端子１４８ｂには、第二回路基板２７０と電気的に接続するリード線１４９の第一端子１４８ａが接続される。
【００６６】
第二無線モジュール４７は、第二回路基板２７０に対して立設した状態で収容支持部２６５に支持される。第二無線モジュール４７は、平面視でＺ軸方向に長尺な、Ｔ文字状の基板である。第二無線モジュール４７は、本体部１４７ａと、一対の延在部１４７ｂとを有する。
【００６７】
本体部１４７ａは、Ｚ軸方向に長尺な平面視矩形状の基板である。一対の延在部１４７ｂは、本体部１４７ａと一枚の基板を構成しており、本体部１４７ａのＺ軸方向の両側端部から本体部１４７ａに対して所定の方向に延在している。第二無線モジュール４７は平面視でＴシャツのような形状であり、本体部１４７ａは身頃の部分に相当し、一対の延在部１４７ｂは袖の部分に相当する。このため、本実施の形態では、一対の延在部１４７ｂが第二無線モジュール４７の長手方向に対してＺ軸プラス方向側に配置され、延在部１４７ｂが係合凹部２６９に係合することで、第二無線モジュール４７を第二回路基板２７０に対して直立した姿勢を、第一の姿勢とする。また、一対の延在部１４７ｂが第二無線モジュール４７の長手方向に対してＺ軸マイナス方向側に配置され、延在部１４７ｂが係合凹部２６９に係合することで、第二無線モジュール４７を第二回路基板２７０に対して倒立した姿勢を、第二の姿勢とする。
【００６８】
一対の延在部１４７ｂは、本体部１４７ａに対して所定の方向に延在する。本実施の形態では、一方の延在部１４７ｂは本体部１４７ａに対してＸ軸プラス方向に延在し、他方の延在部１４７ｂは本体部１４７ａに対してＸ軸マイナス方向に延在している。一対の延在部１４７ｂは、一対の係合凹部２６９と一対一で係合する。一対の延在部１４７ｂは、第二無線モジュール４７を収容支持部２６５の一対の係合凹部２６９にスライド挿入されている。この場合に、一対の延在部１４７ｂのＺ軸プラス方向側の端面は、一対の係合凹部２６９の底面に当接し、一対の係合凹部２６９に引っ掛かる。これにより、第二無線モジュール４７は、第二回路基板２７０及び第三回路基板２８０に対して略垂直な姿勢で支持される。
【００６９】
第一無線モジュール４６及び第二無線モジュール４７に採用される無線通信は、電波（すなわち、可視光及び赤外光を除く）を用いた通信である。第一無線モジュール４６及び第二無線モジュール４７は、例えば、Ｗｉ−Ｆｉ（登録商標）、Ｂｌｕｅｔｏｏｔｈ（登録商標）、ＢＬＥ又はＺｉｇＢｅｅ（登録商標）などの無線通信規格に基づいて無線通信を行う。
【００７０】
第一無線モジュール４６は、カプセル状の筐体４６１と、筐体４６１に収容された無線受信部（図示省略）とを備えている。第一無線モジュール４６の無線受信部は、照明装置１を操作するための操作端末から送信された無線信号を受信し、照明制御部１３に出力する。
【００７１】
第二無線モジュール４７は、カプセル状の筐体と、筐体に収容された無線受信部（図示省略）とを備えている。第二無線モジュール４７の無線受信部は、操作端末から送信された無線信号を受信し、音響制御部１６に出力する。
【００７２】
ここで、操作端末としては、無線通信可能な機器であれば如何様でもよく、例えば、スマートフォンなどの携帯端末、無線式のリモコンなどが挙げられる。操作端末は、照明部２０用の無線信号を出力する。照明部２０用の無線信号は、照明部２０を制御するための信号である。照明部２０用の無線信号には、例えば、第一光源１２１及び第二光源１２２を点灯させるための点灯指示、第一光源１２１及び第二光源１２２を消灯させるための消灯指示、又は、第一光源１２１及び第二光源１２２の調光比若しくは色温度（光色）を選択する指示などが含まれる。
【００７３】
また、操作端末は、音響部４０用の無線信号を出力する。音響部４０用の無線信号は、音響部４０を制御するための信号である。音響部４０用の無線信号には、例えば、スピーカ４１を起動させるための起動指示、スピーカ４１を停止させるための停止指示、音量を調整するための音量指示、スピーカ４１が出力する音データなどが含まれる。
【００７４】
また、第一無線モジュール４６と第二無線モジュール４７とは、第一収容部２５１内に配置されている。具体的には、第一無線モジュール４６は、Ｙ軸プラス方向側のレンズカバー２３の切欠き２３１内に配置されており、Ｙ軸プラス方向側の壁部に近接されている。一方、第二無線モジュール４７は、Ｙ軸マイナス方向側のレンズカバー２３の切欠き２３１内に配置されており、Ｙ軸マイナス方向側の壁部に近接されている。このように、第一無線モジュール４６と第二無線モジュール４７とは、発光領域をなす一対のレンズカバー２３を、Ｙ軸方向で挟んで対向する位置に配置されている。これにより、発光領域から照射された光が、第一無線モジュール４６と第二無線モジュール４７とによって遮られることが抑制されている。また、第一収容部２５１内において、第一無線モジュール４６と第二無線モジュール４７とを極力距離を離して配置しているので、第一無線モジュール４６が受信する照明部２０用の無線信号と、第二無線モジュール４７が受信する音響部４０用の無線信号とが干渉しにくくなる。
【００７５】
［照明制御部］
図２及び図４に示すように、照明制御部１３は、第一光源１２１、第二光源１２２、第一無線モジュール４６と電気的に接続されている。照明制御部１３は、例えば第一光源１２１及び第二光源１２２の点灯回路部を制御することで、第一光源１２１及び第二光源１２２から出射させる光を調光制御及び調色制御することができる。照明制御部１３は、第一無線モジュール４６で受信された照明部２０用の無線信号に基づいて第一光源１２１及び第二光源１２２を制御する。例えば、照明制御部１３は、Ｙ軸プラス方向側の複数の第一光源１２１だけの点灯、Ｙ軸マイナス方向側の複数の第一光源１２１だけの点灯、全ての第一光源１２１だけの点灯、Ｘ軸プラス方向側で配列された複数の第二光源１２２だけの点灯、Ｘ軸マイナス方向側で配列された複数の第二光源１２２だけの点灯、又は、これらの組み合わせによる点灯を、照明部２０用の無線信号に基づいて制御することができる。
【００７６】
照明制御部１３は、例えば、ＣＰＵ（Ｃｅｎｔｒａｌ  Ｐｒｏｃｅｓｓｉｎｇ  Ｕｎｉｔ）を備えたマイクロコンピュータを用いて構成することができる。照明制御部１３は、例えば記憶部に記憶させた適宜のプログラムを実行させることで、所定の照明制御動作を行うことができる。記憶部は、例えば、フラッシュメモリやＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  Ｒｏａｄ  Ｏｎｌｙ  Ｍｅｍｏｒｙ）などの不揮発性半導体メモリを用いて構成することができる。
【００７７】
［音響制御部］
また、音響制御部１６は、第二無線モジュール４７で受信された音響部４０用の無線信号に基づいてスピーカ４１を制御する。例えば、音響制御部１６は、無線信号に含まれる音データ及び音量指示に基づいてスピーカ４１を制御することで、スピーカ４１から音を出力させる。
【００７８】
音響制御部１６は、例えば、ＣＰＵを備えたマイクロコンピュータを用いて構成することができる。音響制御部１６は、例えば記憶部に記憶させた適宜のプログラムを実行させることで、所定の音響制御動作を行うことができる。記憶部は、例えば、フラッシュメモリやＥＥＰＲＯＭなどの不揮発性半導体メモリを用いて構成することができる。音響制御部１６は、音データを増幅するアンプ回路を含んでいてもよい。
【００７９】
［照明電源部］
照明電源部１５は、外部からの電力によって駆動する駆動回路、発光モジュール２１を発光させるための電力を供給するケーブル等を有する。照明電源部１５は、ケーブルを介して発光モジュール２１に電力を供給する。
【００８０】
［音響電源部］
音響電源部１７は、外部からの電力によって駆動する駆動回路、一対のスピーカ４１を駆動させるための電力を供給するケーブル等を有する。音響電源部１７は、ケーブルを介して一対のスピーカ４１に電力を供給する。
【００８１】
［導光板］
図３及び図４に示すように、第一導光板３は、複数の第一光源１２１のＸ軸プラス方向側に配置されている。第一導光板３は、Ｘ軸マイナス方向側の一端部が外装カバー１２内で固定され、Ｘ−Ｙ平面と略平行となるように支持されている。第一導光板３は、Ｙ軸方向に長尺な板材であり、第一光源１２１のＸ軸プラス方向側に配列された複数の第二光源１２２からの光を導光する光学部材である。第一導光板３は、アクリル、ポリカーボネート等の樹脂又はガラス等の透光性の部材であるが、透光性があればその他どのような材料で形成されてもよい。なお、第一導光板３の形状は、矩形状に限らず、円盤状でもよく、多角形状など、他の形状でもよい。第一導光板３は、導光板の一例である。
【００８２】
第一導光板３は、湾曲部３１と、平板部３５と、複数の係合部３９とを有する。
【００８３】
湾曲部３１は、第一導光板３におけるＸ軸マイナス方向の一端部側の部分であり、レンズカバー２３に沿ってＹ軸方向に長尺である。湾曲部３１は、Ｘ−Ｚ平面で切断した場合の断面視で、第二光源１２２側から略円弧状に湾曲している。湾曲部３１は、第二光源１２２が出射した光を平板部３５に向けて導光する。
【００８４】
係合部３９は、湾曲部３１の第一光源１２１側の端部から突出している。この係合部３９は、第一遮光部材５、第一導光板３及び発光モジュール２１とともに、締結部材１９によって共締めされる。
【００８５】
平板部３５は、湾曲部３１を通過した光を導光して出射することで、当該平板部３５の周囲を照明する板状部である。平板部３５は、Ｘ−Ｙ平面と略平行に保持されている。平板部３５は、装置本体２の長尺な縁辺から外方に向けて延設している。また、平板部３５は、Ｙ軸方向に長尺な矩形板状の平板である。
【００８６】
平板部３５は、プリズム面３５ａと、出射面３５ｂとを有する。
【００８７】
プリズム面３５ａは、平板部３５のＺ軸プラス方向側の面である。プリズム面３５ａは、Ｘ−Ｙ平面と略平行である。プリズム面３５ａは、平板部３５が導光する光を出射面３５ｂ側に向けて反射するように形成された面である。具体的には、プリズム面３５ａには、Ｚ軸マイナス方向に凹むプリズムが複数形成されている。プリズムは、例えば、円錐状、角錐状、円錐台状、角錐台状、半球状等に凹んだ形状であってもよい。なお、プリズム面３５ａは、光を反射するだけでなく、例えば天井等を照明する光を出射してもよい。また、プリズム面３５ａは、切削や、印刷などによって形成することが可能である。
【００８８】
出射面３５ｂは、平板部３５のＺ軸マイナス方向側の面であり、プリズム面３５ａと反対側の面である。出射面３５ｂは、Ｘ−Ｙ平面と略平行な平面である。出射面３５ｂは、例えば床、壁等を照明する光を出射する。
【００８９】
第二導光板４は、複数の第一光源１２１のＸ軸マイナス方向側に配置されている。第二導光板４は、Ｘ軸マイナス方向側の一端部が外装カバー１２内で固定され、Ｘ−Ｙ平面と略平行となるように支持されている。第二導光板４は、Ｙ軸方向に長尺な板状であり、第一光源１２１のＸ軸マイナス方向側に配列された第二光源１２２からの光を導光する光学部材である。第二導光板４は、導光板の一例である。
【００９０】
なお、第二導光板４については、装置本体２の中心を通過するＹ−Ｚ平面に対して第一導光板３と対称な構成である。つまり、第一導光板３及び第二導光板４は、装置本体２における互いに対向する長尺な一対の縁辺のそれぞれから外方に向けて延設している。このため、第二導光板４における第一導光板３と同等の部分については同じ符号を用いて他の説明を省略する。
【００９１】
図１に示すように、第一導光板３と第二導光板４とは、照明装置１を平面視した場合に音響部４０と重なっていない。このため、第一導光板３と第二導光板４とのそれぞれから出射された光は、音響部４０に遮られることがない。また、音響部４０から出力された音も、第一導光板３と第二導光板４とによって遮られることがない。
【００９２】
［支持部材］
図２及び図３に示すように、支持部材８は、Ｙ軸方向に沿って長尺な板材であり、第一導光板３の平板部３５を照明部２０に支持する部材である。支持部材８は、平板部３５の出射面３５ｂ側に配置される。支持部材８と、第二収容部２５２の桁部２５５の貫通孔とに対して図示しないネジを挿入して締結すると、支持部材８と桁部２５５とが第一導光板３の平板部３５を挟持する。これにより支持部材８が第一導光板３を下方から支持するので、当該第一導光板３の姿勢が保持されることとなる。
【００９３】
［遮光部材］
第一遮光部材５は、複数の第一光源１２１が出射する光が第一導光板３に入射しないように、第一導光板３の湾曲部３１と複数の第一光源１２１との間に配置されている。第一遮光部材５は、第一導光板３及びレンズカバー２３に沿って、Ｙ軸方向に長尺である。第一遮光部材５は、第一導光板３における湾曲部３１から出射する光を遮光する。また、第一遮光部材５は、光を反射する光反射機能を有する。第一遮光部材５は、例えばポリブチレンテレフタレート等の非透光性の白色樹脂等で形成されている。また、第一遮光部材５は、アクリルやポリカーボネート等の樹脂材料に白色の樹脂を塗装して形成してもよい。なお、第一遮光部材５は、光拡散機能を有していてもよい。
【００９４】
なお、もう一方の第二遮光部材６については、装置本体２の中心を通過するＹ−Ｚ平面に対し第一遮光部材５と対称な構成であるため、第一遮光部材５と同等の部分については同じ符号を用いて他の説明を省略する。
【００９５】
［透光カバー］
図２及び図３に示すように、透光カバー７は、装置本体２のＺ軸マイナス方向側に配置されている。透光カバー７は、照明装置１をＺ軸方向から見た場合において複数の第一光源１２１を覆うカバー部材であり、複数の第一光源１２１から出射した光が透過する透光性を有する。透光カバー７は、Ｙ軸方向に長尺な矩形状である。透光カバー７は、例えばアクリルやポリカーボネート等の透光性樹脂又はガラス等の透光性を有する材料で構成されている。透光カバー７は、さらに、光拡散性を有していてもよい。つまり、透光カバー７は、透明カバーではなく、透光性及び光拡散性を有する拡散カバーであってもよい。この場合、透光カバー７は、光拡散材が内部に分散された乳白色の拡散パネルとすることができる。このような拡散カバーは、光拡散材を混合した透光性樹脂材料を所定形状に樹脂成型することによって作製することができる。光拡散材としては、シリカ粒子等の光反射性微粒子を用いることができる。
【００９６】
透光カバー７は、第一透光カバー７０と、第二透光カバー８０とを有する。
【００９７】
第一透光カバー７０は、照明装置１をＺ軸方向から見た場合における外側のカバー部材である。第一透光カバー７０は、Ｙ軸方向に長尺な矩形板状である。第一透光カバー７０は、図示しない複数の係止片を有しており、この複数の係止片が第二透光カバー８０を係止することで、第二透光カバー８０を保持している。
【００９８】
第二透光カバー８０は、第一透光カバー７０と装置本体２との間に配置される。第二透光カバー８０は、カバー枠部８１と、カバー枠部８１の内側から、湾曲部３１に沿うように傾斜した傾斜部８３とを有する。
【００９９】
カバー枠部８１は、Ｙ軸方向に長尺な矩形板状の枠体であり、第一透光カバー７０の複数の係止片と係合している。傾斜部８３は、カバー枠部８１の内縁側に形成され、カバー枠部８１に沿ってＹ軸方向に長尺である。傾斜部８３は、Ｚ−Ｘ平面で切断した断面を見た場合に、第一遮光部材５及び第二遮光部材６に沿うように、円弧状に湾曲している。
【０１００】
［輸送時と組立時］
本実施の形態のような第二回路基板２７０、第三回路基板２８０及び第二無線モジュール４７が第二取付板２６４に取り付けられた状態では、第二無線モジュール４７の突出量が、第二回路基板２７０、第三回路基板２８０及び第二取付板２６４に比べて大きい。このため、第二回路基板２７０、第三回路基板２８０、第二無線モジュール４７、及び第二取付板２６４が組み付けられた状態で輸送する場合に、第二無線モジュール４７が破損する恐れがある。そこで、本実施の形態では、輸送時の場合と組立時の場合との第二無線モジュール４７の状態について説明する。
【０１０１】
図７は、実施の形態に係る照明装置１の第二取付板２６４、第二回路基板２７０、及び第三回路基板２８０を示す斜視図である。図８は、図７のＶＩＩＩ−ＶＩＩＩ線を含む切断面を見た場合の、第二取付板２６４、第二回路基板２７０、及び第三回路基板２８０を示す部分断面である。図７の（ａ）及び図８の（ａ）は、輸送時において、第二無線モジュール４７を収容支持部２６５に第二の姿勢で支持している状態を示す。図７の（ｂ）及び図８の（ｂ）は、組立時において、第二無線モジュール４７を収容支持部２６５に第一の姿勢で支持している状態を示す。
【０１０２】
図７の（ａ）及び図８の（ａ）に示すように、輸送時における第二無線モジュール４７は、収容支持部２６５に支持された状態で、収容空間２６５ａに収容されている。具体的には、第二無線モジュール４７は、第一の姿勢で収容支持部２６５に支持されている。第一の姿勢は、第二無線モジュール４７において、Ｘ軸方向の幅の狭い側である本体部１４７ａをＺ軸プラス方向に位置させ、Ｘ軸方向の幅の広い側である一対の延在部１４７ｂをＺ軸マイナス方向に位置させる姿勢である。第二無線モジュール４７の一対の延在部１４７ｂは、一対の支持部２６７の係合凹部２６９に一対一で、Ｚ軸マイナス方向からＺ軸プラス方向に向けてスライド挿入されている。一対の延在部１４７ｂは、各々の係合凹部２６９の底面に当て止まっている。また、第二無線モジュール４７の本体部１４７ａは、スリット２６６ｂに挿入されている。つまり、収容支持部２６５は、第二無線モジュール４７を第二回路基板２７０に対して第二の姿勢で支持する場合に、第二無線モジュール４７を収容空間２６５ａに収容する。
【０１０３】
この場合では、第二無線モジュール４７は、第二回路基板２７０、第三回路基板２８０、及び第二取付板２６４を組み付けた部材のＺ軸方向の厚みを見た場合に、第二回路基板２７０、第三回路基板２８０、及び第二取付板２６４に比べて、Ｚ軸マイナス方向にさほど突出していない。本実施の形態では、第二無線モジュール４７の長手方向の長さが、第二回路基板２７０、第三回路基板２８０、第二無線モジュール４７、及び第二取付板２６４を１つに組み付けた場合の、Ｚ軸方向の厚みと同等となる。
【０１０４】
図９は、図７のＩＸ−ＩＸ線を含む切断面を見た場合の、第二取付板２６４、第二回路基板２７０、及び第二無線モジュール４７を示す部分断面である。図９の（ａ）では、リード線１４９の第１端子１４８ａを第二無線モジュール４７の第２端子１４８ｂに接続する状態を示している。なお、図９の（ａ）の切断面は、図７のＩＸ−ＩＸ線を含む切断面の状態と異なっていることは言うまでもない。図９の（ｂ）の断面は、図７の（ｂ）のＩＸ−ＩＸ線に対応している。図９の（ｂ）では、組立時において、第二無線モジュール４７を収容支持部２６５に第一の姿勢で支持している状態を示し、係止突部２６８が第１端子１４８ａに接触している状態を示している。
【０１０５】
図９の（ａ）に示すように、矢印の方向（Ｙ軸マイナス方向）に向けて、リード線１４９の第１端子１４８ａを第二無線モジュール４７の第２端子１４８ｂに電気的に接続する。第１端子１４８ａと第２端子１４８ｂとが電気的に接続した状態で、第二無線モジュール４７を一対の係合凹部２６９にスライド挿入させる。
【０１０６】
図７の（ｂ）及び図８の（ｂ）に示すように、組立時における第二無線モジュール４７は、収容支持部２６５に支持された状態で、第二回路基板２７０、及び第三回路基板２８０に対して直立している。具体的には、第二無線モジュール４７は、第二の姿勢で収容支持部２６５に支持されている。第二の姿勢は、第二無線モジュール４７において、Ｘ軸方向の幅の広い側である一対の延在部１４７ｂをＺ軸プラス方向に位置させ、Ｘ軸方向の幅の狭い側である本体部１４７ａをＺ軸マイナス方向に位置させる姿勢である。第二無線モジュール４７の一対の延在部１４７ｂは、一対の支持部２６７の係合凹部２６９に一対一で、Ｚ軸マイナス方向からＺ軸プラス方向に向けてスライド挿入されている。一対の延在部１４７ｂは、各々の係合凹部２６９の底面に当て止まっている。
【０１０７】
また、図９の（ｂ）に示すように、第二無線モジュール４７を一対の係合凹部２６９にスライド挿入すると、係止突部２６８は、第一端子１４８ａのＹ軸プラス方向に位置する。これにより、係止突部２６８は、第一端子１４８ａが第二端子１４８ｂから離間しないように、第一端子１４８ａの移動を規制する。
【０１０８】
この場合では、第二無線モジュール４７は、第二回路基板２７０、第三回路基板２８０、及び第二取付板２６４を組み付けた部材のＺ軸方向の厚みを見た場合に、第二回路基板２７０、第三回路基板２８０、及び第二取付板２６４に比べて、Ｚ軸マイナス方向に突出している。このように、第二無線モジュール４７は、搬送後の組付時に正しい位置に取付けられるため、搬送時による第二無線モジュール４７の損傷が抑制される。第二取付板２６４は、延在部１４７ｂが係合凹部２６９に係合することで、第二無線モジュール４７を第二回路基板２７０に対して第一の姿勢で支持する。
【０１０９】
［動作］
照明装置１は、操作端末から送信された照明部２０用の無線信号及び音響部４０用の無線信号に基づいて、ユーザが所望する照明及び音出力を実行する。受信時においては、照明部２０用の無線信号及び音響部４０用の無線信号が干渉するおそれもある。しかし、上述したように、第一無線モジュール４６と第二無線モジュール４７とは、第一収容部２５１内で極力距離を離して配置されているので、照明部２０用の無線信号と音響部４０用の無線信号とを同時に受信する場合、互いの無線信号が干渉しにくくなっている。
【０１１０】
次に、照明装置１における照明時の動作について説明する。
【０１１１】
照明制御部１３は、第一無線モジュール４６で受信された照明部２０用の無線信号に基づいて第一光源１２１及び第二光源１２２を制御する。複数の第一光源１２１から出射した光は、レンズカバー２３のレンズで配光制御されて透光カバー７を透光し、照明装置１のＺ軸方向に進む。また、Ｙ軸プラス方向側及びＹ軸マイナス方向側の複数の第二光源１２２から出射した光は、第一導光板３及び第二導光板４の各々の入射面に入射して湾曲部３１及び平板部３５を導光する。湾曲部３１では、当該湾曲部３１の外面で反射されたり、外面から出射しても第一遮光部材５及び第二遮光部材６で反射された光が入射したりする。平板部３５を導光する一部の光は、プリズム面３５ａで反射されて出射面３５ｂに向かい、出射面３５ｂから出射する。こうして、この照明装置１では、透光カバー７、第一導光板３及び第二導光板４の各々から照明光を出射することで、周囲を照明することができる。
【０１１２】
次に、照明装置１における音出力時の動作について説明する。
【０１１３】
音響制御部１６は、第二無線モジュール４７で受信された音響部４０用の無線信号に基づいてスピーカ４１を制御する。一対のスピーカ４１からは、音データに基づく音が出力される。音の出力時においては、一対のスピーカ４１からは当該音を起因とした振動が発生する。この振動は、照明部２０にも伝わる。例えば、一対のスピーカ４１からの振動が照明部２０に対して偏って伝わる場合には照明部２０も大きく振動して、照明光も大きく揺らめくことになる。しかし、本実施の形態では、一対のスピーカ４１の重心が、第一開口部２０ａを平面視した場合に第一開口部２０ａ内に配置されているために、一対のスピーカ４１のそれぞれからは照明部２０に対して概ね均等に振動が伝わることになる。これにより、照明部２０は比較的揺れにくくなって、揺らめきの小さい照明光とすることができる。特に、本実施の形態では、照明装置１全体の重心が、第一開口部２０ａを平面視した場合に第一開口部２０ａ内に配置されているので、照明装置１全体がバランスよく造営材に設置されており、揺れにくい支持構造となっている。このため、スピーカ４１からの音を起因とした振動が照明部２０により影響しにくくなっている。
【０１１４】
［作用効果］
次に、本実施の形態における照明装置１の作用効果について説明する。
【０１１５】
上述したように、本実施の形態に係る照明装置１は、第二回路基板２７０に対して立設した状態で支持される第二無線モジュール４７と、第二回路基板２７０を保持し、かつ、第二無線モジュール４７を着脱自在に保持する第二取付板２６４とを備える。また、第二取付板２６４は、第二無線モジュール４７が挿入される収容空間２６５ａを有する収容支持部２６５を有する。そして、収容支持部２６５は、第二無線モジュール４７と係わり合うことで、第二無線モジュール４７を所定の姿勢で支持する係合凹部２６９を有する。
【０１１６】
このように、第二取付板２６４は、第二回路基板２７０を保持し、かつ、第二無線モジュール４７を着脱自在に保持する。第二取付板２６４は、第二無線モジュール４７が挿入される収容空間２６５ａを有する収容支持部２６５を有する。収容支持部２６５は、第二無線モジュール４７と係わり合う係合凹部２６９が形成され、第二無線モジュール４７を所定の姿勢で支持する。このため、輸送時には第二無線モジュール４７を収容空間２６５ａに挿入して収容支持部２６５に収容し、組付時には収容支持部２６５に収容された第二無線モジュール４７を引き抜いて、第二無線モジュール４７を収容支持部２６５に保持することができる。
【０１１７】
したがって、この照明装置１では、照明装置１の組み付けに掛かる製造コストの高騰化を抑制することができる。
【０１１８】
また、本実施の形態に係る照明装置１において、第二無線モジュール４７は、本体部１４７ａと本体部１４７ａに対して所定の方向に延在する延在部１４７ｂとを有する。そして、延在部１４７ｂは、係合凹部２６９に係合する。
【０１１９】
このように、第二無線モジュール４７の延在部１４７ｂが係合凹部２６９に係合する。このため、第二無線モジュール４７は、収容支持部２６５と係わり合うため、収容支持部２６５に所定の姿勢で支持される。このため、照明装置１では、第二無線モジュール４７を収容支持部２６５に容易に組み付けることができる。
【０１２０】
また、本実施の形態に係る照明装置１において、第二取付板２６４は、延在部１４７ｂが係合凹部２６９に係合することで、第二無線モジュール４７を第二回路基板２７０に対して第一の姿勢で支持する。
【０１２１】
これによれば、照明装置１では、延在部１４７ｂを係合凹部２６９に係合させるだけで、第二無線モジュール４７を第一の姿勢で支持することができる。このため、照明装置１では、第二無線モジュール４７を収容支持部２６５に容易に組み付けることができる。
【０１２２】
また、本実施の形態に係る照明装置１において、第二無線モジュール４７は、第二回路基板２７０と電気的に接続するリード線１４９の第一端子１４８ａが接続される第二端子１４８ｂを有する。そして、第二取付板２６４は、第二端子１４８ｂに接続された第一端子１４８ａが第二端子１４８ｂから離間しないように、第一端子１４８ａの移動を規制する係止突部２６８を有する。
【０１２３】
このように、第二無線モジュール４７の第二端子１４８ｂには、リード線１４９の第一端子１４８ａが接続される。第二無線モジュール４７を第一の姿勢で支持する場合に、係止突部２６８は、第一端子１４８ａの移動を規制する。このため、第一端子１４８ａが第二端子１４８ｂから不意に外れるといったことが生じ難い。このため、照明装置１では、第二無線モジュール４７が無線信号を受信できない等の不具合の発生を抑制することができる。
【０１２４】
また、本実施の形態に係る照明装置１において、収容支持部２６５は、第二無線モジュール４７を第二回路基板２７０に対して第二の姿勢で支持する場合に、第二無線モジュール４７を収容空間２６５ａに収容する。
【０１２５】
これによれば、照明装置１では、延在部１４７ｂを係合凹部２６９に係合させるだけで、第二無線モジュール４７を第二の姿勢で支持することができる。このため、照明装置１では、輸送時における第二無線モジュール４７の破損を抑制することができる。
【０１２６】
また、本実施の形態に係る照明装置１において、収容支持部２６５は、係合凹部２６９を一対有する。また、一対の係合凹部２６９の間には、第二無線モジュール４７を挿通するスリット２６６ｂが形成されている。そして、一方の係合凹部２６９から他方の係合凹部２６９までの長さは、スリット２６６ｂの長さよりも大きい。
【０１２７】
これによれば、方の係合凹部２６９から他方の係合凹部２６９までの長さがスリット２６６ｂのＸ軸方向の長さよりも大きいため、第二無線モジュール４７の延在部１４７ｂを係合凹部２６９と係わり合うことができる。例えば、輸送時には、スリット２６６ｂに第二無線モジュール４７を挿入しつつ、第二無線モジュール４７の延在部１４７ｂを係合凹部２６９と係わり合った第二の姿勢で第二無線モジュール４７を支持することができる。また、組立時には、第二無線モジュール４７の延在部１４７ｂが係合凹部２６９と係わり合うことで、本体部１４７ａを収容支持部２６５から突出させた第二の姿勢で第二無線モジュール４７を支持することができる。
【０１２８】
また、本実施の形態に係る照明装置１は、さらに、発光領域を有する照明部２０と、スピーカを有する音響部４０とを備える。また、第二回路基板２７０は、無線用回路基板である。そして、第二無線モジュール４７は、照明部２０用の無線信号、及び音響部４０用の無線信号を受信する無線用アンテナ基板である。
【０１２９】
これによれば、輸送時に、収容支持部２６５が第一無線モジュール４６及び第二無線モジュール４７の損傷を抑制することができる。このため、照明部２０用及び音響部４０用の第一無線モジュール４６及び第二無線モジュール４７が無線信号を受信できない等の不具合の発生を抑制することができる。
【０１３０】
また、本実施の形態に係る照明装置１は、さらに、照明部２０の外方に向けて延設する第一導光板３及び第二導光板４と、第一導光板３及び第二導光板４に光を入射する第二光源１２２とを備える。
【０１３１】
これによれば、第一導光板３及び第二導光板４を備えた照明装置１であっても、第一導光板３及び第二導光板４が照明部２０用の無線信号と音響部４０用の無線信号との受信を妨げ難くすることができる。
【０１３２】
また、本実施の形態に係る照明装置１において、第一導光板３及び第二導光板４は、一対設けられている。そして、一対の導光板は、照明部２０を挟んで対向するように配置されている。
【０１３３】
これによれば、照明部２０を挟んで対向する第一導光板３及び第二導光板４を備えた照明装置１であっても、照明部２０用の無線信号と音響部４０用の無線信号との受信を妨げ難くすることができる。
【０１３４】
（その他の変形例等）
以上、本発明について、実施の形態に基づいて説明したが、本発明は、上記実施の形態に限定されるものではない。以降の説明において、上記実施の形態と同一の部分においては、同一の符号を付してその説明を省略する場合がある。
【０１３５】
例えば、上記実施の形態では、上記実施の形態では、一対の導光板（第一導光板３及び第二導光板４）を備えた照明装置１を例示して説明したが、導光板の設置個数は、１つであっても３つ以上であってもよい。また、導光板は、装置本体２を囲むように配置された環状体であってもよい。また、導光板を備えていない照明装置１であってもよい。
【０１３６】
また、上記実施の形態では、第二取付板２６４が収容支持部２６５を有しているが、第一取付板が収容支持部２６５を有していてもよい。この場合に、収容支持部２６５は、第一無線モジュール４６を所定の姿勢で支持してもよい。このため、収容支持部２６５が支持する基板は、第二無線モジュール４７に限定されない。また収容支持部２６５が収容する基板は、第一無線モジュール４６及び第二無線モジュール４７にも限定されない。例えば、センサ用基板を支持してもよい。このため、無線モジュールに限定されない。
【０１３７】
また、上記実施の形態では、収容支持部２６５の一対の支持部２６７は、第二無線モジュール４７の高さを調節することができてもよい。一例を挙げると、一対の支持部２６７の少なくともいずれかに、係合凹部２６９に貫通するネジ穴が形成されている。ネジ穴には。ネジが挿通され、ネジを締めることで、第二無線モジュール４７の延在部１４７ｂと当接し、ネジが第二無線モジュール４７を係合凹部２６９に押付けることで第二無線モジュール４７を支持する。このように、第二無線モジュール４７の高さを調節することができてもよい。なお、第二無線モジュール４７の高さを調節する方法は、これに限らず、他の公知の方法を用いて行ってもよい。
【０１３８】
また、上記実施の形態では、外装カバー１２に音響部４０が収容されているが、外装カバー１２が第一外装カバー、及び一対の第二外装カバーで構成されていてもよい。この場合、第一外装カバーが照明部２０、第一無線モジュール４６、第二無線モジュール４７、第一遮光部材５、第二遮光部材６、照明制御部１３、照明電源部１５、音響制御部１６及び音響電源部１７等を収容し、第二外装カバーが音響部４０等を収容していてもよい。そして、第二外装カバーが第一外装カバーを挟んで第一外装カバーの長手方向のそれぞれに配置されていてもよい。一対の第二外装カバーは第一外装カバーにネジ等の締結部材によって固定されていてもよい。このように、音響部４０と照明部２０とは、構造的に一体化されている。
【０１３９】
また、上記実施の形態では、一対のスピーカ４１が装置本体２における長手方向の両端部に設けられている場合を例示したが、一対のスピーカ４１の設置箇所は如何様でもよい。例えば、一対のスピーカ４１は、収容体内に配置されていてもよい。また、スピーカ４１は、一つの照明装置１に対して、１つでも３つ以上でも設けられていてもよい。また、１つのスピーカ４１としては、装置本体２を囲む環状のスピーカ４１であってもよい。この場合、環状の１つのスピーカ４１の重心が装置本体２の第一開口部２０ａ内に配置されていれば、照明装置１の重量バランスを保つことができる。また、スピーカ４１が複数ある場合においても、複数のスピーカ４１の複合的な重心が、装置本体２の第一開口部２０ａ内に配置されていれば、照明装置１の重量バランスを保つことができる。
【０１４０】
また、上記実施の形態では、第一無線モジュール４６と第二無線モジュール４７とが、第一収容部２５１の壁部内に配置されている場合を例示した。しかし、第一無線モジュール４６と第二無線モジュール４７とは、照明部２０を挟むように配置されているのであれば、照明装置１のいずれの場所に配置されていてもよい。例えば、第一無線モジュール４６と第二無線モジュール４７とのそれぞれは、音響部４０の一対のカバー体４２のそれぞれの内方に配置されていてもよい。
【０１４１】
また、上記実施の形態では、第一導光板３及び第二導光板４を備えた照明装置１を例示したが、導光板を有さない照明装置１であってもよい。
【０１４２】
また、上記実施の形態では、平面視十字形状の照明装置１を例示したが、照明装置１の平面視形状は如何様でもよい。その他の照明装置１の平面視形状としては、円形状、矩形状、矩形状以外の多角形状、楕円状などが挙げられる。
【０１４３】
その他、実施の形態に対して当業者が思いつく各種変形を施して得られる形態や、本発明の趣旨を逸脱しない範囲で実施の形態における構成要素及び機能を任意に組み合わせることで実現される形態も本発明に含まれる。
【符号の説明】
【０１４４】
１  照明装置
２０  照明部
４０  音響部
４１  スピーカ
４６  第一無線モジュール（第一基板）
４７  第二無線モジュール（第二基板）
１２２  第二光源（光源）
１４７ａ  本体部
１４７ｂ  延在部
１４８ａ  第一端子
１４８ｂ  第二端子
１４９  リード線
２６４  第二取付板（取付板）
２６６ａ  収容空間
２６６ｂ  スリット
２６７  収容支持部
２６８  係止突部
２６９  係合凹部
【図１】
2019102286.tif 000003
【図２】
2019102286.tif 000004
【図３】
2019102286.tif 000005
【図４】
2019102286.tif 000006
【図５】
2019102286.tif 000007
【図６】
2019102286.tif 000008
【図７】
2019102286.tif 000009
【図８】
2019102286.tif 000010
【図９】
2019102286.tif 000011